(57)【特許請求の範囲】
【請求項１】
表面に意匠面をもち裏面側より突出する係止突起をもつ硬質の装飾部品と、該係止部材に係合固定される樹脂製の係止部材と、少なくとも一部が板状の被取付部材とよりなり、該装飾部品と該係止部材とで該被取付部材の一部を挟持することで該被取付部材の表面に接した状態で該装飾部品が取付けられた装飾部品の取付構造であって、
該係止突起は該装飾部品の裏面から突出する首部と該首部から曲折した頭部とよりなる略Ｌ字形状の第１突起と、該装飾部品の裏面から突出する第２突起とからなり、
該係止部材は該第１突起の該頭部が貫通して裏面側に突出する第１貫通孔と、該第２突起が当接して押圧することで弾性変形可能な撓み部と、該係止部材を該装飾部品に対してスライド移動させ該第１突起が該第１貫通孔内を相対的にスライド移動したときに該第２突起が該撓み部を乗り越えて係合する係止凹部とをもち、
該第２突起が該係止凹部に係合することで該係止部材と該装飾部材のスライド方向の相対移動が規制され、該第１突起の該頭部が該第１貫通孔より突出して該係止部材の裏面に係合することで該装飾部材と該係止部材とが離れる方向の移動が規制されていることを特徴とする装飾部品の取付構造。
【請求項２】
前記装飾部材は枠状である請求項１に記載の装飾部品の取付構造。
【請求項３】
前記装飾部材はメッキされた樹脂部品である請求項１に記載の装飾部品の取付構造。
【請求項４】
前記第２突起は前記装飾部品の裏面から略直角に延びる係止面と、該係止面の先端から該頭部の延びる方向に傾斜して延びるテーパ面とをもつ略三角形状をなし、前記撓み部は該テーパ面と摺接する第２テーパ面をもつ請求項１に記載の装飾部品の取付構造。
【発明の詳細な説明】
【０００１】
【発明の属する技術分野】
本発明は、自動車の内装品などの装飾部品の取付構造に関し、詳しくはきわめて容易に取付けることができる装飾部品の取付構造に関する。
【０００２】
【従来の技術】
自動変速機をもつ自動車のコンソール用シフトレバーの周囲には、現在のシフトレバーの位置を表示するためのシフトインジケータが配置され、シフトインジケータとコンソールカバーの境界部には飾り枠体が介在して境界部の隙間を覆うことで意匠性の向上が図られている。この飾り枠体は一般に樹脂成形によって形成され、意匠性を高めるために金属メッキ処理が施されている。
【０００３】
コンソールカバーにはシフトインジケータの大きさより大きな貫通孔が形成され、先ず飾り枠体が貫通孔の周縁部を挟持することでコンソールカバーに固定される。そしてシフトレバーが突出しシフトインジケータが装着されたコンソールに、飾り枠体をもつコンソールカバーが組み付けられることで、組付が完了する。
【０００４】
ところでコンソールカバーの貫通孔の周縁部に飾り枠体を固定する場合には、寸法誤差などを吸収して隙間が生じないようにする必要がある。そこで従来は、図８，９に示すような取付構造が採用されている。
【０００５】
この取付構造では、飾り枠体 100と固定部材 200を用いている。飾り枠体 100の裏面側の一端部には断面コ字状の保持突起 101が突出形成され、他端部には板状の溶着突起 102が突出形成されている。また固定部材 200は飾り枠体 100の他端部に沿う断面略Ｌ字の棒状に形成され、溶着突起 102に対応する位置に貫通孔 201が形成されている。この貫通孔 201に溶着突起 102を挿通することで、飾り枠体 100の他端部と固定部材 200とで断面コ字状の保持部が形成される。
【０００６】
そして保持突起 101と、飾り枠体 100の他端部と固定部材 200とで形成された断面コ字状の保持部にコンソールカバー 300の貫通孔の周縁部の互いに対向する端部をそれぞれ挟持し、貫通孔 201から突出する溶着突起 102を熱カシメして飾り枠体 100と固定部材 200を固定することで、飾り枠体 100がコンソールカバー 300に固定される。
【０００７】
この取付構造によれば、飾り枠体 100の大きさをコンソールカバー 300の貫通孔の大きさより一回り大きく形成しておくことで、飾り枠体 100を隙間なく容易にコンソールカバー 300に固定することができる。
【０００８】
また実開平5-054805号には、断面コ字状の内装部品をその側壁のばね弾性を利用して車体板金に取付けた構造が開示されている。この取付構造によれば、金属ピンなどを用いずに全て樹脂から形成できるため、錆や干渉による異音の発生がない。また取り外しも可能である。
【０００９】
【発明が解決しようとする課題】
ところが上記した図８，９に示す取付構造では、熱カシメ工程が必要となるために、工数が大きいという問題がある。
【００１０】
さらに飾り枠体 100は、シフトインジケータとの一体感を付与するなどの目的のために、金属メッキが施されることが多い。しかしながら溶着突起 102まで金属メッキが施されると、溶着が困難となってしまう。そのため溶着突起 102をマスキングしてメッキ処理したり、溶着突起 102に形成された金属メッキを剥離したりする工数が必要となり、工数がさらに大きくなってコストが上昇するという問題がある。
【００１１】
また金属メッキされた樹脂製の装飾部品では、剛性が大きすぎるために、実開平5-054805号に開示されたようにばね弾性を利用して取付けることは困難である。
【００１２】
本発明はこのような事情に鑑みてなされたものであり、金属メッキが施された装飾部品であっても、溶着工程を不要として容易に取付けられるようにすることを目的とする。
【００１３】
【課題を解決するための手段】
上記課題を解決する本発明の装飾部品の取付構造の特徴は、表面に意匠面をもち裏面側より突出する係止突起をもつ硬質の装飾部品と、係止部材に係合固定される樹脂製の係止部材と、少なくとも一部が板状の被取付部材とよりなり、装飾部品と係止部材とで被取付部材の一部を挟持することで被取付部材の表面に接した状態で装飾部品が取付けられた装飾部品の取付構造であって、
係止突起は装飾部品の裏面から突出する首部と首部から曲折した頭部とよりなる略Ｌ字形状の第１突起と、装飾部品の裏面から突出する第２突起とからなり、
係止部材は第１突起の頭部が貫通して裏面側に突出する第１貫通孔と、第２突起が当接して押圧することで弾性変形可能な撓み部と、係止部材を装飾部品に対してスライド移動させ第１突起が第１貫通孔内を相対的にスライド移動したときに第２突起が撓み部を乗り越えて係合する係止凹部とをもち、
第２突起が係止凹部に係合することで係止部材と装飾部材のスライド方向の相対移動が規制され、第１突起の頭部が第１貫通孔より突出して係止部材の裏面に係合することで装飾部材と係止部材とが離れる方向の移動が規制されていることにある。
【００１４】
装飾部材はメッキされた樹脂部品とすることができる。また第２突起は装飾部品の裏面から略直角に延びる係止面と、係止面の先端から頭部の延びる方向に傾斜して延びるテーパ面とをもつ略三角形状をなし、撓み部はテーパ面と摺接する第２テーパ面をもつことが望ましい。
【００１５】
【発明の実施の形態】
本発明の装飾部品の取付構造では、係止突起が装飾部品と機械的に係合することにより係止部材が装飾部品に固定され、装飾部品と係止部材とで被取付部材の端部を挟持することで装飾部品が被取付部材に取付られている。したがって熱カシメ工程が不要となり、組付工数を低減することができる。また熱カシメ工程が不要となるため、金属メッキされた装飾部品であっても、マスキングや金属メッキの剥離の工程が不要となる。これにより工数をさらに低減することができ、コストを大きく削減することができる。
【００１６】
本発明の装飾部品の取付構造を形成するには、先ず装飾部品を被取付部材の板状の一部に沿うように配置し、裏面側に係止部材を配置する。そしてＬ字状の第１突起の頭部を係止部材の第１貫通孔に挿通して貫通させるとともに、第２突起を撓み部に当接させる。続いて係止部材を装飾部品に対して相対移動させ、第１突起の首部を第１貫通孔内でスライド移動させる。このとき第２突起の押圧により撓み部が弾性変形し、第２突起は撓み部を乗り越えて係止凹部と係合する。すると第１突起の頭部は第１貫通孔から突出してその周縁部で係止部材の裏面に当接し、装飾部品の裏面と頭部とで第１貫通孔の周縁部が挟持された状態となる。
【００１７】
したがって第２突起が係止凹部に係合することで係止部材と装飾部材のスライド方向の相対移動が規制され、第１突起の頭部が第１貫通孔の周縁部で係止部材の裏面に係合することで装飾部材と係止部材とが離れる方向の移動が規制されるため、装飾部材と係止部材とは一体的に固定された状態となる。その状態で被取付部材の板状の一部は装飾部材と係止部材とで挟持されるので、熱カシメなどを不要として装飾部材を被取付部材に容易に取付けることができる。
【００１８】
装飾部材としては、従来の技術で述べたシフトインジケータの飾り枠体に限るものではなく、自動車の内外装に用いられる各種部品、オーナメント、家電製品の意匠マークなどとすることができる。またその材質は、係止突起が変形しない硬質のものであればよく、ＡＢＳなどの硬質樹脂、金属メッキされた樹脂、金属などを用いることができる。金属メッキされた樹脂から装飾部材を形成すれば、意匠性が高まるとともに金属メッキによってさらに硬質となるので、樹脂のみの場合に比べて係止突起の変形を一層防止することができ、取付け後に装飾部材が外れるような不具合をさらに防止することができる。
【００１９】
装飾部材の第１突起及び第２突起は、装飾部材の本体と一体的に形成される。その位置は装飾部材の形状などに応じて適宜決定される。例えば前述の飾り枠体の場合には、一辺あるいは互いに対向する二辺の裏面側に形成することができ、４辺の全部に形成することもできる。またオーナメントなどの場合には、裏面の中央部などに形成することができる。なお第１突起と第２突起の位置関係は特に制限されないが、前述の飾り枠体のような幅の狭い装飾部品の場合には後述の相対移動方向に平行な一直線上に列設することが望ましい。
【００２０】
係止部材は、撓み部が弾性変形可能であり、かつある程度の強度が必要であるので、ＡＢＳ，ＰＰ，ＰＡなどの樹脂から形成することができる。
【００２１】
装飾部材の第２突起は、相対移動の力で撓み部を押圧できる形状とされる。例えば装飾部品の裏面から略直角に延びる係止面と、係止面の先端から第１突起の頭部の延びる方向と平行方向に傾斜して延びるテーパ面とをもつ略三角形状をなすことが望ましく、係止部材の撓み部はテーパ面と摺接する第２テーパ面をもつことが望ましい。このようにすれば、スライド移動の際に第２突起のテーパ面と撓み部の第２テーパ面とが摺接するので、スライド移動の力によって撓み部を安定して弾性変形させることができ、撓み部の永久変形により係合が不安定になるのを防止することができる。また第２突起の係止面が撓み部の端部と係合するので、取付け後の装飾部材と係止部材の相対移動をより防止することができる。
【００２２】
【実施例】
以下、実施例により本発明を具体的に説明する。
【００２３】
（実施例１）
本実施例では、従来の技術で述べたシフトインジケータの飾り枠体の取付構造に本発明を適用している。図１〜図５にその取付構造を示す。
【００２４】
図１に示す飾り枠体１は、ＡＢＳから形成された成形品の全表面にクロムメッキが施されてなるものであり、略長方形状の枠体である。その一対の長辺のうち一辺の裏面側には、断面コ字状の保持突起10が互いに間隔を隔てて３個裏面側へ突出形成され、保持突起10の開口は外側を向いている。
【００２５】
また保持突起10をもつ長辺と反対側の他の一辺の裏面側には、略Ｌ字形状の第１突起11が互いに間隔を隔てて３個裏面側へ突出形成され、最初の第１突起11と次の第１突起11の中間位置に三角形状の第２突起12が１個裏面側へ突出形成されている。
【００２６】
第１突起11は、図５に示すように、飾り枠体１の裏面に対して直角に突出する首部13と、首部13から直角に曲折した頭部14とよりなる略Ｌ字形状をなし、頭部14はいずれの第１突起11も飾り枠体１の長辺に沿う同一方向に形成されている。また第２突起12は、飾り枠体１の裏面から略直角に延びる係止面15と、係止面15の先端から頭部14の延びる方向に傾斜して延び先端ほど低くなるテーパ面16とをもつ略三角形状に形成されている。
【００２７】
一方の係止部材２は断面Ｌ字状の棒状をなし、ＡＢＳから成形によって形成されている。係止部材２には、第１突起11に対向する位置にそれぞれ第１貫通孔20が形成されている。また第２突起12に対向する位置に弾性変形可能な撓み部21が形成され、この撓み部21には先端ほど高くなる第１テーパ面22が形成されている。撓み部21の先端には、第２突起12が挿入可能な第２貫通孔23が形成されている。この第２貫通孔23が本発明にいう係止凹部に相当している。
【００２８】
そして本実施例の取付構造では、図２〜図４に示すように飾り枠体１がコンソールカバー３に取付けられている。このように飾り枠体１をコンソールカバー３に取付けるには、先ず飾り枠体１をコンソールカバー３の開口30に配置し、保持突起10の開口内に開口30の周縁部の一辺を挿入する。そして第１突起11と第２突起12をもつ飾り枠体１の一辺を開口30の周縁部の他辺に当接させる。これにより開口30の周縁部は、全辺が飾り枠体１で覆われて隙間の無い状態となる。
【００２９】
次にコンソールカバー３の裏面側から、係止部材２を第１突起11と第２突起12をもつ飾り枠体１の一辺に対向させ、図５に示すように３個の第１突起11の頭部14をそれぞれ第１貫通孔20に挿通する。このとき第２突起12は撓み部21の根元に当接している。この状態で、コンソールカバー３の開口30の周縁部の一辺は、飾り枠体１の長辺の一辺の裏面と係止部材２の第１貫通孔20などをもつ表面との間に挟まれている。
【００３０】
続いて係止部材２を飾り枠体１の長辺に沿う図５の矢印方向にスライド移動させる。すると第１突起11の首部13が第１貫通孔20の周縁部に近接し、係止部材２は第１貫通孔20の周縁部において頭部14と飾り枠体１の裏面とで挟持される。また撓み部21の第１テーパ面22が第２突起12のテーパ面16と摺接し、スライド移動の力が撓み部21を下方へ押圧する力に変換されるため、スライド移動に伴って撓み部21が弾性変形する。そして第２突起12が撓み部21を乗り越えると、撓み部21は反力によって元の形状に戻り第２突起12は第２貫通孔23に係合する。
【００３１】
したがってこの取付構造では、係止部材２は第１貫通孔20の周縁部で頭部14と飾り枠体１の裏面とで挟持されているので、係止部材２が飾り枠体１から離れる方向への移動が規制されている。また第２突起12の係止面15が撓み部21の先端面に当接し、かつ第１突起11の首部13が第１貫通孔20の周縁部に当接するので、係止部材２と飾り枠体１とのスライド移動も両方向で規制されている。これにより係止部材２と飾り枠体１は一体的に固定されている。
【００３２】
そしてコンソールカバー３の開口30の周縁部は、長辺側の一辺が保持突起10に保持され、その一辺に対向する他の一辺が飾り枠体１と係止部材２とで挟持されているため、飾り枠体１はコンソールカバー３に一体的に取付けられ、隙間もなく外れることもない。
【００３３】
（実施例２）
本実施例では、自動車のオーナメントの取付構造に本発明を適用している。
【００３４】
図６に示すように、オーナメント４は係止部材５によって車体外板６に取付けられている。オーナメント４には、Ｌ字状の第１突起40と三角形状の第２突起41が一体に形成されている。また係止部材５には、第１貫通孔50と撓み部51及び第２貫通孔52が形成されている。そして車体外板６には、第１貫通孔50と同じ大きさの第１スリット60と、第２貫通孔52より長い第２スリット61が形成されている。
【００３５】
第１貫通孔50と第１スリット60は互いに連通し、そこに第１突起40が挿通されて第１貫通孔50の外側で係止部材５の裏面と係合している。また撓み部51の先端には溝53が形成され、溝53から先端に向かうテーパ面54が形成されて、撓み部51の先端の前側表面が第２突起41と係合するとともに後側表面が第２スリット61の端面と係合している。
【００３６】
このようにオーナメント４と係止部材５を取付けるには、先ず係止部材５を車体外板６の裏面側に当て、第１貫通孔50を第１スリット60と連通させるとともに撓み部51の先端を第２スリット61に挿入する。次にオーナメント４を車体外板６の表側に当て、図７に示すように第１スリット60及び第１貫通孔50に第１突起40を挿入するとともに第２スリット61に第２突起41を挿入する。第２突起41は撓み部51の溝53に当接している。
【００３７】
そして図７の矢印方向へオーナメント４をスライド移動させると、第２突起41のテーパ面が撓み部51のテーパ面54と摺動することで撓み部51が図７の下方へ撓み、第２突起41が撓み部51を乗り越えると撓み部51の先端の前後表面が第２突起41の係止面及び第２スリット61の端面と係合する。また第１突起40の先端は第１貫通孔50の外側で係止部材５の表面と係合し、オーナメント４と係止部材５とで車体外板６を挟持する。
【００３８】
したがって係止部材５は車体外板５に対する相対移動が規制され、オーナメント４は係止部材５に対する相対移動が規制されているので、オーナメント４は車体外板５に対して相対移動が規制され、第１突起40の係合によって車体外板６から離れる方向の移動も規制されている。これによりオーナメント４は車体外板６に強固に固定される。
【００３９】
【発明の効果】
すなわち本発明の装飾部品の取付構造によれば、熱かしめなどを用いずに装飾部材を取付けることができるので、取付けが容易であり、かつ金属メッキされた装飾部品であってもマスキングや剥離などの工程を不要としてそのまま取付けることができる。したがって取付工数を大きく低減することができ、安価な取付構造とすることができる。
【図面の簡単な説明】
【図１】本発明の一実施例の取付構造の分解斜視図である。
【図２】本発明の一実施例の取付構造の一部断面で示す正面図である。
【図３】本発明の一実施例の取付構造の断面図である。
【図４】図２の要部拡大図である。
【図５】本発明の一実施例の取付構造を形成する前段階の状態を一部断面で示す要部正面図である。
【図６】本発明の第２の実施例の取付構造の断面図である。
【図７】本発明の第２の実施例の取付構造を形成する前段階の状態の断面図である。
【図８】従来の取付構造の分解斜視図である。
【図９】従来の取付構造の断面図である。
【符号の説明】
１：飾り枠体（装飾部品）                ２：係止部材
３：コンソールカバー（被取付部材）      10：第１突起
11：第２突起                20：第１貫通孔          21：撓み部
22：第２貫通孔（係止凹部）
【図１】
0003965671.tif 000002
【図２】
0003965671.tif 000003
【図３】
0003965671.tif 000004
【図４】
0003965671.tif 000005
【図５】
0003965671.tif 000006
【図６】
0003965671.tif 000007
【図７】
0003965671.tif 000008
【図８】
0003965671.tif 000009
【図９】
0003965671.tif 000010